(57)【特許請求の範囲】
【請求項１】
入力した映像信号に対して信号処理を実行する映像信号処理回路を備える制御部が、主表示画面を備える表示部から分離された形態である表示装置であって、
前記制御部は、
該制御部の設置姿勢が異常であることを検出する姿勢異常検出回路と、
該制御部の内部温度が異常であることを検出する温度異常検出回路と、
前記表示部に表示させる各種文字フォントを格納したフォント記憶回路と、
前記表示装置内に異常が検出された場合にその異常内容に対応するメッセージを生成するために前記文字フォントの入出力制御を行うフォント制御回路と、
前記文字フォントを任意画面上に合成してメッセージ画面の映像信号を生成する合成回路と、
前記入力した映像信号と前記メッセージ画面の映像信号との何れかを選択して出力する選択回路と
を備えることを特徴とする表示装置。
【請求項２】
前記制御部は、該制御部の内部温度の異常が検出された場合に予め設定された所定時間の計時を開始するタイマと、
内部の空気を外部の空気と入れ替えることにより内部温度を低下させる冷却ファンと、
前記タイマの計時終了時にも前記内部温度の異常が検出される場合に前記冷却ファンを始動させるファン制御回路と
を備えることを特徴とする請求項1記載の表示装置。
【請求項３】
前記表示部は、前記主表示画面とは独立して制御される副表示画面と、
前記副表示画面に前記メッセージ画面を表示させる副表示画面制御回路と
を備えることを特徴とする請求項1又は2記載の表示装置。
【請求項４】
前記表示部が主表示画面近傍に該主表示画面を照明する補助光発光回路を有している場合に、
前記表示部は、該補助光発光回路の発光異常を検出する発光異常検出回路とを備え、
前記制御部は、前記発光異常検出回路で異常が検出された場合に前記フォント制御回路により対応するメッセージを生成して出力することを特徴とする請求項1〜３の何れか１項記載の表示装置。
【請求項５】
入力した映像信号に対して信号処理を実行する映像信号処理回路を備える制御部と、主表示画面を備える表示部とを一体に形成し、前記主表示画面近傍に該主表示画面を照明する補助光発光回路を有している表示装置であって、
前記表示部に表示させる各種文字フォントを格納したフォント記憶回路と、
前記表示装置内に異常が検出された場合にその異常内容に対応するメッセージを生成するために前記文字フォントの入出力制御を行うフォント制御回路と、
前記文字フォントを任意画面上に合成してメッセージ画面の映像信号を生成する合成回路と、
前記入力した映像信号と前記メッセージ画面の映像信号との何れかを選択して出力する選択回路と、
前記主表示画面とは独立して制御されて電力消費量が少ない副表示画面と、
前記副表示画面に前記メッセージ画面を表示させる副表示画面制御回路と、
前記補助光発光回路の発光異常を検出する発光異常検出回路と
を備えることを特徴とする表示装置。
【発明の詳細な説明】
【０００１】
【発明の属する技術分野】
本発明は、例えば、プラズマ・ディスプレイ・パネル（ＰＤＰ）表示装置或いはＴＦＴ液晶パネル表示装置のように、映像信号を表示する画面を壁掛け形式やスタンド形式等の薄型構造にするために、制御部を分離させた構造とした表示装置の異常に対する保護回路に関する。
【０００２】
【従来の技術】
映像を表示する表示装置としては、従来から、一般的な家庭用テレビジョン受信機に用いられている通称ブラウン管、すなわち、カソード・レイ・チューブ（ＣＲＴ）が良く知られている。
【０００３】
ところで、近年になり、テレビジョン受信機に対しては、壁掛け化、あるいは、テーブルやデスク上に置くために薄型化および軽量化が要望されている。また、デスクトップ型パーソナルコンピュータ等を用いる場合のディスプレイをデスク上に置く際の机の上の省スペース化が要望されている。そのため、ＴＦＴ液晶やＰＤＰを用いた薄型の表示装置が開発されている。
【０００４】
そのような薄型の表示装置においては、入力する映像信号を画面表示可能な信号に処理する映像信号処理回路等を制御部として、ＴＦＴ液晶やＰＤＰ等の表示画面を備える表示部と別構成とすると共にケーブルで両部を接続することにより、薄型化および軽量化の要望や、省スペース化の要望を満足させているものがある。それらの制御部が分離した表示装置は、言わば、机の上や壁等の人目につくところには表示部のみを配置できるようにすると共に、人目につく必要の無い制御部等については机の下や壁際等の見えないところに設置させることにより、単純にＴＦＴ液晶表示部やＰＤＰ表示部を用いて制御部をそれら表示部と一体に形成した一体型の表示装置よりもさらに薄型化および軽量化や省スペース化を推進した表示装置である。
【０００５】
ところが、そのような制御部が分離した表示装置の制御部は、人目につかない机の下の足元や、家具と壁の隙間等に設置されることが多いため、カーペットの段差や配線等の上に一部が乗ってしまい正しい姿勢ではなく傾いて設置されることからわずかな振動等により転倒することがある。また、制御部が正しい姿勢に設置された場合であっても、表示装置の使用者に使用中や歩行中に蹴られて転倒する場合がある。
【０００６】
制御部が転倒した場合、例えば、上に設けられた放熱孔が横になって上部開口面積が減少することから、制御部の放熱効率が低下し、制御部の内部温度が異常温度まで上昇する事態が発生しやすくなる。
【０００７】
また、制御部が正常に設置されている場合であっても、設置場所が人目につかない机の下の足元や家具と壁との隙間等であることから、制御部の上に机から落ちた紙が乗ってしまったり、制御部の上に塵芥等が堆積することにより、制御部の上に設けられた放熱孔が塞がれてしまい、制御部の放熱効率が低下し、制御部の内部温度が異常温度まで上昇する事態が発生しやすくなる。
【０００８】
ところで、従来の制御部が分離した表示装置では、表示部側に冷却ファンや温度異常検出回路等を設けると共に、表示部側で発生した異常について表示部あるいは制御部から使用者に通知するものが知られているが、制御部側では単純な温度ヒューズあるいはサーミスタ等により電源電力を遮断してしまう保護回路が設けられているのみであるので、制御部側で発生した異常について表示部あるいは制御部から使用者に通知する手段を有しているものはなかった。
【０００９】
そのため、制御部側で異常が発生したことから、表示部の表示内容に制限や異常が発生したとしても、使用者はその表示内容の制限や異常の発生理由がわからず、例えば、転倒した制御部を正しい設置姿勢にする等の復旧措置をとることができなかった。
【００１０】
以下、図を用いて従来の制御部が分離した表示装置の構成について説明する。
図１０は、従来の制御部が分離した表示装置の構成を示すブロック図である。
【００１１】
図１０の表示装置２００は、表示部１と制御部２とが接続ケーブル３により接続されており、表示部１の筐体と制御部２の筐体とは分離している。表示部１と制御部２とは、各々独立して商用電源から電源電力を得ているため、接続ケーブル３は、映像信号と制御信号の送受信を行っている。
【００１２】
表示部１には、主表示画面８を備えている。なお、本従来例では、この主表示画面はＴＦＴ液晶表示板であり、自発光式でないため補助光として補助光発光回路１７が設けられているものとして記載する。しかし、ＴＦＴ液晶表示板を用いた表示部では電力消費量がそれほど大きくならないため、例えば、冷却ファン１５等は必ずしも要求されるものではない。しかし、例えば、主表示画面８がＰＤＰである場合には、電力消費量も増大するため、冷却ファン１５あるいは過電流検出回路２２および温度異常検出回路２３等が要求される場合が多くなる。
【００１３】
インターフェース回路１１は、制御部２から接続ケーブル３を通して送受信された映像信号や制御信号を、表示部１にて内部処理可能な信号に変換する。主表示画面制御回路１２は、受信した映像信号を制御して主表示画面８に表示させる。制御回路１３は、記憶回路１６に格納されたプログラム等に記載された処理を実行するために表示部１内の各部を制御すると共に、表示部１内の後述する各異常検出回路からの検出信号を制御部２に通知する。
【００１４】
電源回路１４は、商用電源あるいは制御部から電源電力を得て、表示部１内の各部に必要な電圧を電圧変換して供給する。冷却ファン１５は、常時あるいは後述する温度異常検出回路２３により温度異常が検出された場合に駆動されて、表示部１内部の温度上昇した空気と外部の室温の空気との換気を行う。記憶回路１６は、制御回路１３が実行する表示部１の動作プログラムや異常検出時の処理プログラムを格納している。
【００１５】
補助光発光回路１７は、前記したように自発光式ではない液晶等の主表示画面８に対する補助光として、例えば、冷陰極管あるいは高輝度ＬＥＤ等を利用して、主表示画面８の視認性を向上させる手段である。
【００１６】
電源異常検出回路２１は、電源回路１４の異常温度および異常出力電流等を検出する。過電流検出回路２２は、主表示画面制御回路に流入する電流が過電流になる場合を検出する。温度異常検出回路２３は、表示部１内の温度が異常温度になったことを検出する。ファン異常検出回路２４は、冷却ファン１５の異常温度および異常電流等を検出する。光検出回路２５は、補助光発光回路１７の光量（輝度）を検出することにより補助光発光回路１７の異常を検出する。また、光検出回路２５は、主表示画面８が液晶であることから外部光の透過光量を検出することにより、主表示画面８の異常を検出することもできる。
【００１７】
一方、制御部２は、不図示のテレビジョンチューナ装置やパーソナルコンピュータ等の映像信号出力装置から送信されてきた映像信号に対して、表示部１で表示させるための信号処理を施して出力する。
【００１８】
制御部２の筐体の上部等には放熱孔７が形成されており、制御部２が正しい姿勢で設置された場合には、この放熱孔７から制御部２内部で発生した熱が外部へ放出されるように設計されている。
【００１９】
インターフェース回路３１は、入力した映像信号を内部で処理できる信号に変換する。映像信号処理回路３２は、受信した映像信号を表示部１に表示させる映像信号に加工処理する。インターフェース回路３３は、加工された映像信号を表示部１への通信信号に変換する。
【００２０】
制御回路３４は、例えば、マイクロプロセッサ等の機器制御に用いられる演算素子であり、記憶回路３５に格納されたプログラム等に記載された処理を実行するために制御部２内の各部を制御すると共に、表示部１から送信されてきた各異常検出信号に基づいて、異常検出通知出力を生成する。記憶回路３５は、制御回路３４が実行する制御部２の動作プログラムや異常検出時の処理プログラムを格納すると共に表示部２から受信した各異常検出信号を格納する。音響出力回路３６は、例えばブザー等からなり、制御回路３４からの異常検出通知出力により警報音を発生する。表示出力回路３７は、例えばＬＥＤ等からなり、制御回路３４からの異常検出通知出力により警告ランプを点灯させる。電源回路３８は、商用電源から電源電力を得て、制御部２内の各部に必要な電圧を電圧変換して供給する。
【００２１】
次に、図１０の表示装置２００において、異常が検出された際の動作について説明する。
電源異常検出回路２１、過電流検出回路２２、温度異常検出回路２３、ファン異常検出回路２４、あるいは、光検出回路２５の何れかにより異常が検出された場合、その異常検出信号は制御回路１３に送信される。制御回路１３では、記憶回路１６に格納された異常検出時の処理プログラムに従って処理を実行し、インターフェース回路１１を介して制御部２に異常検出信号を送出する。
【００２２】
制御部２で受信された異常検出信号は、インターフェース回路３３で内部処理可能な異常検出信号に変換されて制御回路３４に入力される。制御回路３４では、受信した異常検出信号を記憶回路３５に格納すると共にその異常検出信号に対応する異常処理プログラムを記憶回路３５から読み出して実行し、音響出力回路３６に対して警報音を発生させるための異常検出通知出力を送出するか、あるいは、表示出力回路３７に対して警告ランプを点灯させるための異常検出通知出力を送出する。
【００２３】
上記したような従来の技術として、例えば、特開平９−２４４５７１号公報には、主表示画面がＰＤＰであるため、補助光発光回路等を有していない制御部が分離型である表示装置が示されている。
【００２４】
特開平９−２４４５７１号公報に記載された表示装置では、表示部１内のＰＤＰ駆動回路１２に入力する過電流を検出する過電流検出回路１３、電源回路１４ａの異常を検出する電源異常検出回路１４ｂ、表示部１の内部温度の異常を検出する温度異常検出回路１６、冷却ファン１５ａの異常を検出するファン異常検出回路１５ｂの４つの異常検出回路より出力される異常信号がＭＰＵ１７に入力され、ＭＰＵ１７により異常信号が制御部２に転送される。制御部２では、ＭＰＵ２３によりＬＥＤ２５またはブザー２４等に異常内容に対応した出力を行わせる。
【００２５】
また、例えば、特開平６−３０８９０７号公報には、液晶インバータの異常検出方法が示されている。
特開平６−３０８９０７号公報に記載された表示装置では、１つの制御部に対する表示部が複数である集中管理システムの場合を示しており、複数の液晶パネルからなる各表示装置１０１〜１０３の各々に設置された光量センサ（輝度センサ）１１１〜１１３により輝度を測定し、その輝度を１台の制御装置２０で監視し、異常がある表示装置を判別手段２１により判別して、その表示装置の番号等を表示手段３０に表示させるシステムである。また、この表示装置では、バックライトと液晶パネルの間に光量センサを設置して外光を検知していることから、その外光の透過率により、各液晶パネルの故障を検知する技術が示されている。
【００２６】
【発明が解決しようとする課題】
しかしながら、上記した特開平９−２４４５７１号公報に示された表示装置では、表示部１の異常内容がブザー音あるいはＬＥＤ点灯にて出力されるのみである。従って、表示装置の使用者にとっては、異常発生時に突然出力されるブザー音あるいはＬＥＤ点灯がどの様な意味を持つのか、瞬時に理解することは難しい。又、出力内容がブザー音あるいはＬＥＤ点灯のみであるため、使用者は表示部に異常が発生したことについて知覚した後に、表示部の点灯状態あるいは表示部近傍の表示等を確認することにより何の異常がどこに発生したかを確認しなければならない。
【００２７】
また、特開平６−３０８９０７号公報に示された集中管理システムでは、複数の表示装置の輝度の異常を１つの制御装置で管理しているため、各表示装置毎に異なっている諸特性や輝度センサや外光の影響に対する装備等について複雑な管理が必要となる。そのため、複雑な輝度管理システムが必要になるだけでなく、個々の表示装置についても、正確な輝度測定が必要になるため複雑な構造が要求される。
【００２８】
また、従来の表示装置では、上記したように制御部側で発生した異常について、表示部あるいは制御部から使用者に通知する手段を有しているものはなかったので、制御部側で異常が発生したことに基づいて表示部の表示内容に制限や異常が発生した場合に、使用者がその表示内容の制限や異常の発生理由および発生箇所を知ることができず、異常に対する復旧措置の着手が遅れるという問題を有している。
【００２９】
さらに、表示部の主表示画面の近傍にその主表示画面を照明する補助光発光回路を有している場合には、照明に異常が発生した際に、補助光発光回路側の異常であるのか、電源回路側の異常であるのかの異常の発生箇所を知ることができず、さらにまた、補助光発光回路の発光手段が複数である場合には、異常がどの発光部に発生したかの異常発生箇所を知ることができないことから、異常に対する復旧措置に着手できないという問題を有している。
【００３０】
本発明は、上述した如き従来の問題を解決するためになされたものであって、表示装置の使用者に対して、異常発生箇所を容易に認識させることができ、異常に対する復旧措置を早期に着手させることができる比較的簡単なシステム構成の表示装置を提供することを目的とする。
【００３１】
【課題を解決するための手段】
上述の目的を達成するため、請求項１に記載した本発明の表示装置は、入力した映像信号に対して信号処理を実行する映像信号処理回路を備える制御部が、主表示画面を備える表示部から分離された形態である表示装置であって、前記制御部は、該制御部の設置姿勢が異常であることを検出する姿勢異常検出回路と、該制御部の内部温度が異常であることを検出する温度異常検出回路と、前記表示部に表示させる各種文字フォントを格納したフォント記憶回路と、前記表示装置内に異常が検出された場合にその異常内容に対応するメッセージを生成するために前記文字フォントの入出力制御を行うフォント制御回路と、前記文字フォントを任意画面上に合成してメッセージ画面の映像信号を生成する合成回路と、前記入力した映像信号と前記メッセージ画面の映像信号との何れかを選択して出力する選択回路とを備えることを特徴とする。
【００３２】
請求項２の本発明は、請求項1記載の表示装置において、前記制御部は、該制御部の内部温度の異常が検出された場合に予め設定された所定時間の計時を開始するタイマと、内部の空気を外部の空気と入れ替えることにより内部温度を低下させる冷却ファンと、前記タイマの計時終了時にも前記内部温度の異常が検出される場合に前記冷却ファンを始動させるファン制御回路とを備えることを特徴とする。
【００３３】
請求項３の本発明は、請求項1又は2記載の表示装置において、前記表示部は、前記主表示画面とは独立して制御される副表示画面と、前記副表示画面に前記メッセージ画面を表示させる副表示画面制御回路とを備えることを特徴とする。
【００３４】
請求項４の本発明は、請求項1〜３の何れか１項記載の表示装置において、前記表示部が主表示画面近傍に該主表示画面を照明する補助光発光回路を有している場合に、前記表示部は、該補助光発光回路の発光異常を検出する発光異常検出回路とを備え、前記制御部は、前記発光異常検出回路で異常が検出された場合に前記フォント制御回路により対応するメッセージを生成して出力することを特徴とする。
【００３５】
請求項５に記載した本発明の表示装置は、入力した映像信号に対して信号処理を実行する映像信号処理回路を備える制御部と、主表示画面を備える表示部とを一体に形成し、前記主表示画面近傍に該主表示画面を照明する補助光発光回路を有している表示装置であって、前記表示部に表示させる各種文字フォントを格納したフォント記憶回路と、前記表示装置内に異常が検出された場合にその異常内容に対応するメッセージを生成するために前記文字フォントの入出力制御を行うフォント制御回路と、前記文字フォントを任意画面上に合成してメッセージ画面の映像信号を生成する合成回路と、前記入力した映像信号と前記メッセージ画面の映像信号との何れかを選択して出力する選択回路と、前記主表示画面とは独立して制御されて電力消費量が少ない副表示画面と、前記副表示画面に前記メッセージ画面を表示させる副表示画面制御回路と、前記補助光発光回路の発光異常を検出する発光異常検出回路とを備えることを特徴とする。
【００３６】
【発明の実施の形態】
以下、本発明を図示した実施形態に基づいて説明する。
実施の形態１．
図１は、本発明の実施形態１の表示装置の概略構成を示す斜視図であり、図２は、図１の表示装置の内部構成を示すブロック図である。尚、図１あるいは図２において、図１０に示した従来の表示装置２００と同じ機能の部分については同じ符号を付し、重複する説明を省略する。
【００３７】
実施形態１の表示装置３０１は、表示部５１と制御部５２とが接続ケーブル３により接続されており、表示部５１の筐体と制御部５２の筐体とは分離している。表示部５１と制御部５２とは、電源ケーブル４および５を用いることにより各々独立して商用電源から電源電力を得ているため、接続ケーブル３は、映像信号と制御信号の送受信を行っている。
【００３８】
図１および図２に示した実施形態１の表示装置３０１が図１０に示した従来の表示装置２００と主に異なる点は、制御部５２内に姿勢異常検出回路６１、温度異常検出回路６２、フォント制御回路６３、および、フォント記憶回路６４が新たに設置された点と、姿勢異常検出回路６１の設置に関連して制御回路３４内にカウンタ３９が設けられた点、フォント制御回路６３の設置に関連して映像信号処理回路３２内に合成回路６５と選択回路６６が設けられた点である。
【００３９】
姿勢異常検出回路６１は、制御部５２が正しい姿勢で設置されているか否かを検出するための回路であり、例えば、図３に示したように、姿勢の異常を検出できる姿勢異常検出回路であるセンサとその周辺回路により構成することができる。
【００４０】
図３のセンサ１１０は、円筒状の導電性電極（負側電極）１１１内に、振り子状の導電性電極（正側電極）１１２を、通常時には電極同士が接触しないように設けて構成される。電源回路３８から両電極１１１、１１２間に電圧調整用抵抗Ｒ１０１を介して電圧を印加する。また、導電性電極（正側電極）１１２の電圧は、Ｒ１０２およびＣ１０１からなる回路を介して制御回路３４に入力され、制御回路３４により定期的に監視される。
【００４１】
制御回路３４の監視では、例えば、制御部５２が正しい姿勢で設置されている場合には、センサ１１０内の正側電極１１２は負側電極１１１と離れているので、各電極間に印加されている電圧は降下しないことから、制御回路３４は電源回路３８から印加された電圧とほぼ同等の電圧を検出する。ところが、制御部５２が転倒した場合には、センサ１１０内の正側電極１１２は負側電極１１１と接触するので、各電極間に電流が流れてしまい、印加されている電圧が降下することから、制御回路３４は電源回路３８から印加された電圧よりも低下した電圧を制御回路３４は検出する。この電圧の低下により、制御回路３４は、制御部５２が転倒等により姿勢が正しくなくなったことを検出することができる。
【００４２】
温度異常検出回路６２は、例えば、熱電対等を用いて温度を検出し、安全管理上危険と見なされる所定以上の温度を検出する回路であって、制御部５２の内部でも電源回路３８や制御回路３４付近等の発熱量が多く使用中に温度上昇しやすい部品の上部に配置される。
【００４３】
フォント制御回路６３は、制御回路３４の指示により警告メッセージを作成する回路である。フォント制御回路６３は、例えば、後述するフォント記憶回路６４から警告メッセージを作成するために必要となる文字フォントを読み出して、メッセージの文字順に映像信号処理回路３２に向けて送出する。
【００４４】
フォント記憶回路６４は、警告メッセージに必要となる全ての文字フォントのデータを格納する回路である。
【００４５】
制御回路３４内に設けられたカウンタ３９は、姿勢異常検出回路６１が異常を検出することによりカウンタ３９をスタートさせ、検出された異常が振動等による誤検出でないことを確認できる時間、あるいは、制御装置５２の転倒を気づいた表示装置３０１の利用者が制御装置５２の姿勢を元に戻す作業を実行するために充分な時間等の所定時間を計測するために、姿勢異常検出回路６１が異常を検出する毎に実行される処理回数を計測している。従って、カウンタ３９は一種のタイマとして機能している。
【００４６】
図４は、姿勢異常検出回路６１およびカウンタ３９を用いて本実施の形態１の表示装置３０１が警告メッセージを表示させるまでの制御回路３４の動作フローチャートである。
【００４７】
まず最初に、制御回路３４はカウンタ３９をリセットし、カウンタ３９の計数値ｎをｎ＝０とする（ステップＳ１）。次に、制御回路３４は、姿勢異常検出回路６１で検出された電圧データの読み込みを開始する（ステップＳ２）。そして、読み込まれた電圧データが略電源電圧程度であるか否かにより、制御回路３４は制御部５２の姿勢が正常であるか否かを判断する（ステップＳ３）。制御部５２の姿勢が正常である場合（ステップＳ３：ＹＥＳ）には、処理を終了する。
【００４８】
制御部５２の姿勢が正常ではない場合（ステップＳ３：ＮＯ）には、制御回路３４はカウンタ３９の計数値ｎをｎ＝ｎ＋１とする（ステップＳ４）。そして、ステップＳ４で演算された計数値ｎについて、計数値ｎが規定の回数を示す数値Ｎよりも大きくなったか否かを判断する（ステップＳ５）。なお、この数値Ｎは、上記したように、計数値ｎが検出された異常が振動等による誤検出でないことを確認できる時間、あるいは、制御装置５２の転倒を気づいた表示装置３０１の利用者が制御装置５２の姿勢を元に戻す作業を実行するために充分な時間となるように予め設定される数値である。
【００４９】
計数値ｎが規定の回数を示す数値Ｎよりも大きくなった場合（ステップＳ５：ＹＥＳ）には、制御回路３４はフォント制御回路６３、合成回路６５および選択回路６６等を制御することにより、表示部５１の主表示画面８に警告メッセージを表示させる。また、計数値ｎが規定の回数を示す数値Ｎよりも大きくならない場合（ステップＳ５：ＮＯ）には、再度ステップＳ２に戻って姿勢異常検出回路６１で検出されたデータの読み込み、制御回路３４は制御部５２の姿勢が正常であるか否かの判断を実施する。もし、再度あるいはそれ以降の制御部５２の姿勢が正常であるか否かの判断（ステップＳ３）において、制御部５２の姿勢が正常と判断された場合（ステップＳ３：ＹＥＳ）には、その時点で処理を終了する。
【００５０】
映像信号処理回路３２内に設けられた合成回路６５は、フォント制御回路６３から送出されたメッセージの文字順の文字フォントを、例えば、表示部５１の主表示画面８に表示可能な映像信号として合成する。また、選択回路６６は、合成回路６５で合成された警告メッセージの映像信号と、インターフェース回路３１から入力する映像信号とから一方を選択することにより映像信号を切り替えて出力する。
【００５１】
図５は、表示部５１の主表示画面８内に警告メッセージ１０１が表示された状態の一例を示す図である。
図５の場合には、網目状幾何学模様が表示された主表示画面８の右下部分に警告メッセージ１０１が合成されて表示されている。なお、図５の網目状幾何学模様は、一例であって任意の模様や色を選択することができる。例えば、灰色の無地や他の色を用いても良く、あるいは、他の幾何学模様を用いても良い。また、主表示画面８中に警告メッセージ１０１が合成される配置についても任意の位置を選択することができ、例えば、画面中央、あるいは、画面の上部であっても良い。
【００５２】
次に、本実施の形態１の表示装置３０１の全体的な動作について説明する。
制御部５２内部の温度を検出した温度異常検出回路６２は、検出した周囲の温度を、電圧又は数値データ等の信号に変換して、制御回路３４の入力ポートに入力させる。制御回路３４では、温度異常検出回路６２から入力した信号から現在の内部温度を認識し、記憶回路３５に予め格納されている安全温度範囲のデータ範囲内であるか否かを判断する。
【００５３】
一方、姿勢異常検出回路６１は、制御部５２の姿勢が正常であること（すなわち、転倒していないこと）を検出して制御回路３４に通知する。その後、制御部３４では、図４のフローチャートに示した如き制御を実施する。すなわち、制御回路３４は、姿勢異常検出回路６１から異常が検出されたことを示す信号が入力されると、図４のフローチャートに示した処理に従ってカウンタ３９による計数を開始し、制御部５２の姿勢が正常であるか否かを判断する。
【００５４】
上記の姿勢異常検出回路６１からの入力によって姿勢異常であると判断された場合、制御回路３４は、フォント制御回路６３に指示を出力し、フォント記憶回路６４から姿勢異常に対応する警告メッセージを作成するために必要となる文字フォント（文字信号）のデータを順番に読み出させる。
【００５５】
フォント制御回路６３により、警告メッセージの順に読み出された各フォントのデータは、映像信号処理回路３２の合成回路６５に入力される。合成回路６５では、入力した文字フォントのデータが所定のベース画面に合成されてメッセージ画面の映像信号が生成される。すると、制御回路３４の指示により、映像信号処理回路３２内の選択回路６６が、インターフェース回路３１からの入力を合成回路６５からの入力に切り替えてインターフェース回路３３に出力する。
【００５６】
メッセージ画面の映像信号は、表示部５１に入力されてインターフェース回路１１により内部処理可能な信号に変換され、主表示画面制御回路１２に入力する。主表示画面制御回路１２は、入力したメッセージ画面の映像信号から画面表示データを生成し、図５に示した如き警告メッセージを主表示画面８に表示させる。
【００５７】
また、上記の温度異常検出回路６２からの入力によって温度異常であると判断された場合、制御回路３４は、フォント制御回路６３に指示を出力し、フォント記憶回路６４から温度異常に対応する警告メッセージを作成するために必要となる文字フォント（文字信号）のデータを順番に読み出させる。以降の処理については、上記した姿勢異常と判断された場合と同様であるので説明を省略する。
【００５８】
本実施の形態１では、上記のように表示装置３０１を構成し、動作させたので、制御部５２の転倒あるいは異常温度を表示部５１の主表示画面８上に表示させることができる。従って、本実施の形態１は、表示装置３０１の使用者に対して制御部５２の異常内容を容易に理解できるように通知でき、異常発生箇所をすばやく認識させることができるので、使用者が異常に対する復旧措置を早期に着手することができる。また、本実施の形態１で追加される回路は、従来から用いられている比較的容易に使用できる回路を用いることから、比較的簡単なシステム構成により、表示装置の制御部５２の異常を使用者に通知することができる。
【００５９】
実施の形態２．
上記した実施の形態１では制御部に冷却ファンを有していない表示装置であったが、次の実施の形態２は、実施の形態１の制御部にさらに冷却ファンを有している表示装置となる。
【００６０】
図６は、本発明の実施の形態２の表示装置の内部構成を示すブロック図である。
図６に示した実施形態２の表示装置３０２が図１および図2に示した実施の形態１の表示装置３０１と主に異なる点は、制御部５３内に冷却ファン制御回路８１および冷却ファン８２が新たに設置された点と、冷却ファン８２の設置に関連して制御回路３４内にタイマ４０が設けられた点である。
【００６１】
冷却ファン制御回路８１は、冷却ファン８２のオンとオフを制御する制御回路である。冷却ファン８２は、制御部５３内の熱を効率良く排出できるように、例えば、電源回路３８あるいは制御回路３４のような発熱部分の近辺等に設置されるファンである。制御回路３４の内部に設けられるタイマ４０は、実施形態１に示した警告メッセージ表示後の経過時間を計時するタイマ装置である。
【００６２】
次に、本実施の形態２の表示装置３０２の動作について説明する。
表示部５１の主表示画面８に警告メッセージを表示させるまでの動作は、実施の形態１と同様である。本実施の形態２の制御回路３４は、警告メッセージを表示させる際に、タイマ４０をスタートさせる。タイマ４０で計時する時間は警告メッセージの内容毎に予め設定されており、例えば、姿勢異常のメッセージを表示させる場合には、使用者が制御部５３の姿勢を正すために1分程度かかるので、１分間を計時する。そして、制御回路３４は、タイマ４０が1分を計時しても姿勢異常が検出された場合に、ファン制御回路８１に指示を出力して冷却ファン８２をオンする制御を実施する。
【００６３】
また、温度異常の警告メッセージを表示させる場合には、使用者がすぐに復旧措置に着手しても温度が下がり始めるまでに時間がかかるため、例えば、制御回路３４は２分を計時しても温度異常が検出された場合に、ファン制御回路８１に指示を出力して冷却ファン８２をオンする制御を実施する。
【００６４】
本実施の形態２では、上記のように表示装置３０２を構成し、動作させたので、実施の形態１と同様に使用者に異常内容を通知できることに加えて、使用者が席に不在等により異常内容を表示部５１の主表示画面８上に表示させても復旧措置を実施できない場合に、冷却ファン８２をオンさせて制御部５３の内部温度を安全な温度まで低下させることができる。従って、本実施の形態２では、異常内容を表示しても復旧措置や改善措置がなされない場合に制御回路３４が冷却ファン８２をオンさせるので、実施の形態１よりもさらに安全な表示装置を提供できる。
【００６５】
なお、異常内容によっては、冷却ファン８２を用いても制御部５３内の温度が下がらない場合も考えられるが、その場合には、例えば、電源回路３８を遮断する。
【００６６】
実施の形態３．
上記した実施の形態１および２では警告メッセージを表示部５１の主表示画面８に表示させていたが、次の実施の形態３は、実施の形態１および２の警告メッセージを主表示画面とは別に設けられた副表示画面に表示する表示装置とした。
【００６７】
図７は、本発明の実施の形態３の表示装置の内部構成を示すブロック図である。
図７に示した実施形態３の表示装置３０３が図６に示した実施の形態２の表示装置３０２と主に異なる点は、表示部５４内に副表示画面制御回路７１および副表示画面７２が新たに設置された点である。
【００６８】
副表示画面制御回路７１は、主表示画面制御回路１２と同様に、受信した映像信号を制御して副表示画面７２に表示させるものである。副表示画面７２は、主表示画面８よりは小さいが、警告メッセージの全文を表示できるか、一部しか表示できなくてもスクロールにより全文を使用者に通知できるものとする。
【００６９】
上記した実施の形態１および２では、制御部５２あるいは制御部５３において異常が発生した場合について説明したが、表示部５１の異常については従来と同様に制御部５２あるいは５３内の音響出力回路３６および表示出力回路３７を用いることとした。これは、表示部５１の異常時に主表示画面８に表示させた場合、電源回路１４や制御回路１３等の発熱によって表示部５１の内部温度をさらに上昇させてしまう懸念があることや、例えば、補助光発光回路１７に異常が発生した場合のように、異常の発生箇所によっては主表示画面８に表示できない場合があるためであった。
【００７０】
しかしながら、表示部５１の異常についても警告メッセージを表示させた方が、使用者にとって異常内容が理解しやすくなり、復旧措置を早期に実施しやすくなる。そこで、本実施の形態３の表示部５４には、主表示画面８とは別に小型の副表示画面７２を設けるようにした。
【００７１】
次に、本実施の形態３の表示装置３０３の動作について説明する。
表示部５４内の各検出回路２１〜２５の何れかで異常を検出し、制御部５３内の音響出力回路３６あるいは表示出力回路３７に出力させるまで動作は、図１０に示した従来の表示装置２００と同様であるので説明を省略する。
【００７２】
本実施形態３の制御部５３の制御回路３４は、表示部５４から異常を検出した旨の通知を受信した場合、上記したように音響出力回路３６あるいは表示出力回路３７に出力させると共に、フォント制御回路６３に指示を出力し、フォント記憶回路６４から受信した異常に対応する警告メッセージを作成するために必要となる文字フォント（文字信号）のデータを順番に読み出させる。
【００７３】
それ以降の制御部５３内で実施されてメッセージ画面の映像信号が出力されるまで動作は、上記した実施の形態１および２の場合と同様であるので記載を省略する。
【００７４】
メッセージ画面の映像信号を受信した表示部５４のインターフェース回路１１および制御回路１３は、その警告メッセージの内容あるいは警告メッセージに付随する制御コマンド等により、そのメッセージ画面の映像信号については主表示画面制御回路１２に送出せず、副表示画面制御回路７１に向けて送出し、副表示画面７２に警告メッセージを表示させる。
【００７５】
本実施の形態３では、上記のように表示装置３０３を構成し、動作させたので、表示部内の異常について副表示画面に警告メッセージを表示させて、使用者に異常内容を通知することができる。従って、本実施の形態３では、主表示画面に警告メッセージを表示できない場合であっても、制御部内の異常だけでなく表示部内の異常について警告メッセージを副表示画面に表示させることができるので、実施の形態１および２よりもさらに安全な表示装置を提供できる。
【００７６】
なお、副表示画面制御回路７１及び副表示画面７２の電源としては、電源回路１４から供給してもよいが、副表示画面７２は小型で消費電力が少ないことから、例えば、バッテリー又は電源アダプター等の別電源を用いることができる。その場合、実施の形態２では、冷却ファン８２を用いても制御部５３内の温度が下がらない場合に主要電源を遮断するのみであったが、本実施の形態３では、そのような主要電源が遮断された環境であっても副表示画面７２に警告メッセージ表示を行なうことができ、異常の復旧措置をより迅速に実施することができる。
【００７７】
実施の形態４．
上記した実施の形態１〜３では表示部内の補助光発光回路１７については、異常を発光後の輝度等についてのみ検出しており、補助光発光回路１７の複数の各発光部に入力する電流の異常等については検出していなかった。そのため、従来からの輝度検出等により補助光発光回路１７の各発光手段の何れかが発光していないことは検出できても、各発光手段中の何れの発光手段に異常が発生しているかについては検出できなかった。なお、上記の発光手段とは、例えば、冷陰極管のようにＬＣＤ表示パネルを照明する手段である。そこで、次の実施の形態４では、主表示画面８を照明する補助光発光回路１７の異常内容についての警告メッセージを副表示画面に表示する表示装置とした。
【００７８】
図８は、本発明の実施の形態４の表示装置の内部構成を示すブロック図である。
図８に示した実施形態４の表示装置３０４が図７に示した実施の形態３の表示装置３０３と主に異なる点は、表示部５５内の補助光発光回路１７の図示していない各発光手段の電源入力側に電流異常検出回路９１が新たに設置された点である。
【００７９】
電流異常検出回路９１は、電源回路１４から補助光発光回路１７の各発光手段に入力する電流値を検出して制御回路１３に通知するものである。従って、制御回路１３では、複数の各発光手段の各々に入力する電流値から、各発光手段が発光しているか否かを判断することができる。以下、図を用いて電流異常検出回路９１の構成について説明する。
【００８０】
図９は、電流異常検出回路９１の一例の構成を示す回路図である。
補助光発光回路１７には、２個の冷陰極管等のバックライトＢＬ１およびＢＬ５１が設置されている。各バックライトＢＬ１およびＢＬ５１は、駆動ＩＣおよび各バックライト毎の発光制御回路により発光させられている。
【００８１】
電流異常検出回路９１は、各バックライトＢＬ１およびＢＬ５１の出力側に接続され、その各出力電圧の分圧成分と参照電圧とをコンパレータＣＯＭＰ１およびＣＯＭＰ２により比較し、各比較結果を制御回路１３に入力している。制御回路１３は、入力した各比較結果から、各バックライトＢＬ１およびＢＬ５１に流れる電流の異常を検出する。
【００８２】
すなわち、バックライトＢＬ１およびＢＬ５１の両方に異常が発生して点灯しない場合、それらのバックライトＢＬ１およびＢＬ５１には電流が流れないため、電圧が変化しない。その際に、制御部１３には、各コンパレータＣＯＭＰ１およびＣＯＭＰ２から“Ｈ”の信号が入力される。この入力信号を受けた制御回路１３は、各バックライトＢＬ１およびＢＬ５１が正常点灯していないと判断する。
【００８３】
また、バックライトＢＬ１およびＢＬ５１のいずれか片方のみに異常が発生した場合には、制御部１３に各コンパレータＣＯＭＰ１あるいはＣＯＭＰ２の何れか一方からのみ“Ｈ”の信号が入力されるので、制御回路１３は、各バックライトＢＬ１またはＢＬ５１の何れか一方が正常点灯していないと判断することができる。このようにして、バックライトが複数である場合には、何れのバックライトに異常が発生しているかを個別に判断することができる。
【００８４】
なお、参照電圧Ｖｒｅｆは、各バックライトＢＬ１およびＢＬ５１の正常点灯時に発生する直流電圧よりもやや低めの電圧に設定される。また、参照電圧Ｖｒｅｆを制御回路１３により可変するようにすれば、各バックライトの輝度を制御する回路が正常であるか否かを制御回路１３が判断できるようになる。その場合には、例えば、電源回路１４中のインバータ基板に設けられた輝度制御回路の不具合についても警告メッセージとして副表示画面７２に表示することができる。
【００８５】
次に、本実施の形態４の表示装置３０４の動作について説明する。
表示部５４内の電流異常検出回路９１の検出結果により、制御回路１３で補助光発光回路１７の何れかの発光手段に異常が検出されると、制御回路１３から制御回路制御部５３内の制御回路３４に向けて異常検出通知が出力される。
【００８６】
本実施形態４の制御部５３の制御回路３４は、制御回路１３から何れかの発光手段に異常を検出した旨の通知を受信した場合、フォント制御回路６３に指示を出力し、フォント記憶回路６４から受信した発光手段の位置および発光手段の異常に対応する警告メッセージを作成するために必要となる文字フォント（文字信号）のデータを順番に読み出させる。
【００８７】
それ以降の制御部５３内で実施されてメッセージ画面の映像信号が出力されるまで動作、および、メッセージ画面の映像信号を受信した表示部５４が副表示画面７２に警告メッセージを表示させるまでの動作は、上記した実施の形態３の場合と同様であるので記載を省略する。
【００８８】
本実施の形態４では、上記のように表示装置３０４を構成し、動作させたので、補助光発光回路１７の何れかの発光手段あるいは全ての発光手段に異常が発生した場合にも、どの発光手段が異常であるかを副表示画面に表示させることができる。従って、本実施の形態４では、表示部内の異常について警告メッセージを表示させることができるのみでなく、発光回路内の各発光手段の何れに異常が発生しているかについても警告メッセージを表示させることができるので、実施の形態３よりもさらに迅速に使用者に復旧措置をとらせることができる表示装置を提供できる。
【００８９】
また、上記した実施の形態４中の補助光発光回路１７の異常検出回路９１と副表示画面７２の構成については、上記した各実施形態の如き制御部分離型表示装置のみでなく、表示部と制御部とを一体化させた表示装置に適用することができる。その場合の一体化させた表示装置は、実施の形態４と同様に、表示部内の異常について警告メッセージに加えて、発光回路内の各発光手段の何れに異常が発生しているかについての警告メッセージを表示させることができるので、迅速に使用者に復旧措置をとらせることができるという効果を得ることができる。
【００９０】
上記したように各実施の形態１〜４の表示装置では、異常発生内容を検出して使用者に警告メッセージにより異常発生箇所を詳しく通知することができるので、使用者に速やかに復旧措置を講じさせることができる。
【００９１】
なお、上記した各実施の形態１〜４の表示装置では、制御部に放熱孔７を設けたが、放熱孔７を有していない表示装置でも本発明を適用できることは言うまでもないことである。
【００９２】
【発明の効果】
上記のように請求項１の本発明では、制御部の転倒あるいは異常温度を表示部の主表示画面上に表示させることができるので、
表示装置の使用者に対して制御部の異常内容を容易に理解できるように通知でき、異常発生箇所をすばやく認識させることができる。そのため、異常に対する復旧措置を迅速に使用者に着手させることができるので、安全な表示装置を提供できる。また、請求項１の本発明で追加される回路は、従来から用いられている比較的容易に使用できる回路を用いることから、比較的簡単なシステム構成により、表示装置の制御部の異常を使用者に通知することができる。
【００９３】
請求項２の本発明では、使用者に異常内容を通知できることに加えて、異常内容を表示部の主表示画面上に表示させても異常が復旧されないと、冷却ファンをオンさせるので、
使用者が復旧措置を実施しなくとも制御部の内部温度を安全な温度まで低下させることができ、より安全な表示装置を提供できる。
【００９４】
請求項３の本発明では、制御部内の異常だけでなく表示部内の異常についても警告メッセージを表示させることができるので、
表示部内の異常について副表示画面に警告メッセージを表示させて、主表示画面にメッセージを表示できない場合でも使用者に異常内容を通知することができることから、復旧措置を使用者に迅速に着手させることができ、さらに安全な表示装置を提供できる。
【００９５】
請求項４および請求項５の本発明では、補助光発光回路の何れかの発光手段あるいは全ての発光手段に異常が発生した場合に、どの発光手段が異常であるかを副表示画面に表示させることができるので、
発光回路内の各発光手段の何れに異常が発生しているかについても警告メッセージを表示させることができることから、復旧措置を使用者に迅速に着手させることができ、なお一層安全な表示装置を提供できる。
【図面の簡単な説明】
【図１】  本発明の実施形態１の表示装置の概略構成を示す斜視図である。
【図２】  図１の表示装置の内部構成を示すブロック図である。
【図３】  姿勢異常検出回路の一例の構成を示した図である。
【図４】  警告メッセージを表示させるまでの制御回路の動作フローチャートである。
【図５】  表示部の主表示画面内に警告メッセージが表示された状態の一例を示す図である。
【図６】  本発明の実施の形態２の表示装置の内部構成を示すブロック図である。
【図７】  本発明の実施の形態３の表示装置の内部構成を示すブロック図である。
【図８】  本発明の実施の形態４の表示装置の内部構成を示すブロック図である。
【図９】  電流異常検出回路の一例の構成を示す回路図である。
【図１０】  従来の制御部が分離した表示装置の構成を示すブロック図である。
【符号の説明】
１、５１、５４、５５  表示部、  ２、５２、５３  制御部、  ３、６  接続ケーブル、  ４、５  電源ケーブル、  ７  放熱孔、  ８  主表示画面、  １１、３１、３３  インターフェース回路、  １２  主表示画面制御回路、  １３、３４  制御回路、  １４、３８  電源回路、  １５、８２  冷却ファン、  １６、３５  記憶回路、  １７  補助光発光回路、  ２１  電源異常検出回路、  ２２  過電流検出回路、  ２３、６２  温度異常検出回路、  ２４  ファン異常検出回路、  ２５  光検出回路、  ３２  映像信号処理回路、  ３６  音響出力回路、  ３７  表示出力回路、  ３９  カウンタ、  ４０  タイマ、  ６１  姿勢異常検出回路、  ６３フォント制御回路、  ６４  フォント記憶回路、  ６５  合成回路、  ６６  選択回路、  ７１  副表示画面制御回路、  ７２  副表示画面、  ８１  ファン制御回路、  ９１  電流異常検出回路、  １０１  警告メッセージ、  １１０  センサ、  １１１  負側電極、  １１２  正側電極、  ２００、３０１、３０２、３０３、３０４  表示装置。
【図１】
0004623798.tif 000002
【図２】
0004623798.tif 000003
【図３】
0004623798.tif 000004
【図４】
0004623798.tif 000005
【図５】
0004623798.tif 000006
【図６】
0004623798.tif 000007
【図７】
0004623798.tif 000008
【図８】
0004623798.tif 000009
【図９】
0004623798.tif 000010
【図１０】
0004623798.tif 000011